(57)【要約】【課題】無線通信によってリモコンコードを受信できない電気機器に対して、無線通信機能を備えた機器で操作可能とするリモコン信号送受信機を提供することを目的とする。【解決手段】受信部は、機器（例えば携帯端末）が近距離無線通信で送信したリモコンコードを受信する。携帯端末が赤外線通信できず、かつ電気機器が無線通信（例えば無線ＬＡＮやＢｌｕｅｔｏｏｔｈ（登録商標））によってリモコンコードを受信できない場合でも、電気機器は、送信部が当該リモコンコードに対応した赤外線信号を送信するため、当該リモコンコードを受信できる。その結果、ユーザは、無線通信によってリモコンコードを受信できない電気機器であっても、リモコン信号送受信機を介することにより、ＮＦＣ機能を備えた携帯端末で操作することができる。【選択図】図１
2015005937.tif 000002
【特許請求の範囲】
【請求項１】
ＮＦＣ規格に準じた無線通信で機器から送信されたリモコンコードを受信する受信部と、
点灯、消灯することで、赤外線信号を作成する発光部と、
前記受信部で受信したリモコンコードに応じて前記発光部を点灯、消灯制御することで赤外線信号を作成し送出する送信部と、を備えた、
リモコン信号送受信機。
【請求項２】
前記機器を装着する装着部を備える、
請求項１に記載のリモコン信号送受信機。
【請求項３】
操作入力を受け付ける受付部と、
前記操作入力に対応したリモコンコードを複数記憶する記憶部と、
前記機器が装着されたことを検知する検知部と、
制御部と、を備え、
前記制御部は、前記検知部が前記機器の装着を検知した場合、前記受信部で受信されたリモコンコードに対応する赤外線信号を前記送信部に送出させる中継モードを実行し、
前記検知部が前記機器の装着を検知しない場合、前記受付部で受け付けた操作入力に対応するリモコンコードを前記記憶部から読み出して、前記赤外線信号として前記送信部に送出させる独立動作モードを実行する、
請求項１又は請求項２に記載のリモコン信号送受信機。
【発明の詳細な説明】
【技術分野】
【０００１】
本発明は、受信したリモコンコードに対応する赤外線信号を送信するリモコン信号送受信機に関する。
【背景技術】
【０００２】
従来、電気機器（例えばテレビ、ＡＶアンプ、及びエアコン）は、離れた位置からリモートコントローラによって操作されている。リモートコントローラは、電気機器に指示を与えるための信号であるリモコンコードに対応する赤外線信号を該電気機器に送信する。
【０００３】
今日、赤外線通信以外の無線通信機能（例えば無線ＬＡＮやＢｌｕｅｔｏｏｔｈ（登録商標）。以下、単に無線通信と記載する場合、赤外線通信以外の無線通信を示すものとする。）を備えた携帯端末の普及に伴って、無線通信によりリモコンコードを受信することが可能な電気機器が普及してきている（特許文献１を参照。）。ユーザは、無線通信でリモコンコードを受信することが可能な電気機器であれば、無線通信機能を備えた携帯端末で操作することができる。
【先行技術文献】
【特許文献】
【０００４】
【特許文献１】特開２００８−１９３２４６
【発明の概要】
【発明が解決しようとする課題】
【０００５】
しかし、依然として多くの電気機器は、無線通信でリモコンコードを受信することはできず、赤外線信号のみでしかリモコンコードを受信できない。その結果、ユーザは、無線通信機能を備えた携帯端末で電気機器を操作することができない場合が多い。
【０００６】
そこで、本発明は、無線通信によってリモコンコードを受信できない電気機器であっても、無線通信機能を備えた携帯端末を用いて操作できるようにするリモコン信号送受信機を提供することを目的とする。
【課題を解決するための手段】
【０００７】
本発明のリモコン信号送受信機は、ＮＦＣ規格に準じた無線通信で機器から送信されたリモコンコードを受信する受信部と、点灯、消灯することで、赤外線信号を作成する発光部と、前記受信部で受信したリモコンコードに応じて前記発光部を点灯、消灯制御することで赤外線信号を作成し送出する送信部と、を備える。
【０００８】
受信部は、機器（例えば携帯端末）がＮＦＣ（；Ｎｅａｒ  Ｆｉｅｌｄ  Ｃｏｍｍｕｎｉｃａｔｉｏｎ）規格に準じた無線通信で送信したリモコンコードを受信する。送信部は、発光部を点灯、消灯制御することで、当該リモコンコードに対応した赤外線信号を送信する。したがって、携帯端末が赤外線通信できず、かつ電気機器が無線通信（例えば無線ＬＡＮやＢｌｕｅｔｏｏｔｈ（登録商標））によってリモコンコードを受信できない場合でも、電気機器は、当該リモコンコードを受信できる。その結果、ユーザは、無線通信によってリモコンコードを受信できない電気機器であっても、本発明のリモコン信号送受信機を介することにより、携帯端末で当該電気機器を操作することができる。
【０００９】
また、ＮＦＣは、他の無線通信と比べて、通信可能な距離が例えば１０ｃｍと短い。したがって、リモコン信号送受信機は、遠方に存在する携帯端末から送信されたリモコンコードを受信しない。すなわち、他の携帯端末から送信されたリモコンコードは、電気機器に受信されないため、電気機器は、ユーザの意図しない誤作動を起こしにくい。
【００１０】
また、従来、携帯端末が無線ＬＡＮ又はＢｌｕｅｔｏｏｔｈ（登録商標）によってリモコンコードを送る場合、携帯端末と電気機器とを接続するためのネットワーク構築又は携帯端末と電気機器とのペアリング設定が必要であったが、ＮＦＣ規格ではネットワーク構築及びペアリング設定の必要がない。
【００１１】
また、赤外線は、一般的に特定の方向に進む。したがって、リモコンコード送受信機は、ユーザが向けた方向にのみ赤外線信号を送信する。その結果、ユーザは、リモコンコード送受信機を向けた方向に存在する意図する電気機器のみを操作できる。
【００１２】
また、前記リモコン信号送受信機は、前記機器を装着する装着部を備えてもよい。
【００１３】
この態様では、ユーザは、携帯端末とリモコン信号送受信機とを一体にして使用できる。
【００１４】
また、前記リモコン信号送受信機は、操作入力を受け付ける受付部と、前記操作入力に対応したリモコンコードを複数記憶する記憶部と、前記機器が装着されたことを検知する検知部と、制御部と、を備え、前記制御部は、前記検知部が前記機器の装着を検知した場合、前記受信部で受信されたリモコンコードに対応する赤外線信号を前記送信部から送出させる中継モードを実行し、前記検知部が前記機器の装着を検知しない場合、前記受付部で受け付けた操作入力に応じたリモコンコードを前記記憶部から読み出して、対応する赤外線信号を前記送信部から送出させる独立動作モードを実行しても構わない。
【００１５】
リモコン信号送受信機は、携帯端末が装着されていないと、受付部で受け付けた操作入力（例えばリモコン信号送受信機に備えられたボタンの押下）に従って、リモコンコードを赤外線信号として送信する。すなわち、リモコン信号送受信機は、携帯端末がなくても、電気機器のリモートコントローラとして動作する。
【００１６】
従来のリモコンは、記憶済みのリモコンコードのみ赤外線信号として送信するが、リモコン信号送受信機は、携帯端末が装着されると、該携帯端末からリモコンコードを電気機器に中継する。その結果、リモコン信号送受信機は、自装置に記憶していないリモコンコードであっても、赤外線で送信することができる。
【発明の効果】
【００１７】
本発明によれば、無線通信によってリモコンコードを受信できない電気機器であっても、リモコン信号送受信機が近距離無線通信で受信したリモコンコードを赤外線信号として送信するため、無線通信機能を備えた携帯端末から、リモコン信号送受信機を介してリモコンコードを当該電気機器に送信することができる。
【図面の簡単な説明】
【００１８】
【図１】実施形態１に係る携帯端末カバー１００と他の機器との接続を示す図である。
【図２】実施形態１に係る携帯端末カバー１００の正面の斜投影図である。
【図３】携帯端末８００のブロック図の一部を示す図と実施形態１に係る携帯端末カバー１００のブロック図の一部を示す図である。
【図４】実施形態１に係る携帯端末カバー１００により送受信されるリモコンコードの例を示す図である。
【図５】携帯端末８００の表示の例を示す図、及び実施形態１に係る携帯端末カバー１００から出力される赤外線の広がる範囲を示す図である。
【図６】実施形態２に係るリモコン２００の正面の斜投影図、背面の斜投影図、及びブロック図の一部を示す図である。
【図７】実施形態３に係るクレードル３００の正面の斜投影図、及び使用状態を説明するための右面図である。
【発明を実施するための形態】
【００１９】
実施形態１に係る携帯端末カバー１００（本発明のリモコン信号送受信機に相当する。）について、図１乃至図５を用いて説明する。
【００２０】
図１は、実施形態１に係る携帯端末カバー１００と他の機器との接続を示す図である。携帯端末カバー１００は、携帯端末８００及びＡＶアンプ７００と共に使用される。携帯端末カバー１００は、携帯端末８００がインターネット９０１にアクセスして取得したリモコンコードをＮＦＣ（；Ｎｅａｒ  Ｆｉｅｌｄ  Ｃｏｍｍｕｎｉｃａｔｉｏｎ）で受信して、当該リモコンコードに対応する赤外線信号をＡＶアンプ７００の受信部７０１に向けて送信するものである。
【００２１】
図２（Ａ）は、携帯端末カバー１００の前面の斜投影図である。図２（Ｂ）は、携帯端末８００を嵌め込んだ状態の携帯端末カバー１００の前面の斜投影図である。
【００２２】
図３（Ａ）は、携帯端末８００のブロック図の一部を示す図である。図３（Ｂ）は、実施形態１に係る携帯端末カバー１００のブロック図の一部を示す図である。
【００２３】
携帯端末８００は、図２（Ａ）、図２（Ｂ）、及び図３（Ａ）に示すように、筐体８０１、ＮＦＣ制御部８０２、表示制御部８０３、操作受付部８０４、無線ＬＡＮ制御部８０５、及び制御部８０６を備えている。
【００２４】
筐体８０１は、直方体形状であり、高さ方向及び幅方向よりも、奥行き方向に短い。
【００２５】
制御部８０６は、携帯端末８００の各機能部を統括的に制御する。
【００２６】
ＮＦＣ制御部８０２は、ＮＦＣアンテナ８１０を用いて、ＮＦＣで他の機器との通信を実現するための機能部である。ＮＦＣは、規格上、通信可能な距離が例えば１０ｃｍ等の至近距離に制限されている。ＮＦＣアンテナ８１０は、図２（Ａ）に示すように、筐体８０１に内蔵されている。
【００２７】
表示制御部８０３は、ＬＣＤ８１１への表示を実現する機能部である。ＬＣＤ８１１は、長方形状の表示面を有し、筐体８０１の正面に配置される。操作受付部８０４は、タッチパネル８１２を介してユーザの操作を受け付ける機能部である。タッチパネル８１２は、ＬＣＤ８１１の表示面と同形状の平膜形状である。
【００２８】
表示制御部８０３は、制御部８０６の制御に従い、ＬＣＤ８１１に画像を表示させる。制御部８０６は、操作受付部８０４が受け付けたユーザの操作に基づいて、表示制御部８０３に表示を変更させる。このようにして、携帯端末８００は、ＧＵＩ（；Ｇｒａｐｈｉｃａｌ  Ｕｓｅｒ  Ｉｎｔｅｒｆａｃｅ）を実現する。
【００２９】
無線ＬＡＮ制御部８０５は、不図示の無線ＬＡＮアンテナを用いて無線ＬＡＮ通信を実現する機能部である。携帯端末８００は、図１に示すように、無線ＬＡＮ通信でアクセスポイント９００と通信することにより、インターネット９０１に接続されたサーバ９０２と通信する。
【００３０】
次に、携帯端末カバー１００は、図２（Ａ）、図２（Ｂ）及び図３（Ｂ）に示すように、筐体１０１、ＮＦＣ制御部１０２、赤外線信号制御部１０３、及び制御部１０４を備える。筐体１０１は、大きい直方体から小さい直方体を除し１面を開口した箱型状であり、高さ方向及び幅方向よりも、奥行き方向に短い。筐体１０１は、正面が全て開口している。
【００３１】
筐体１０１は、正面が開口しているため、ユーザは、図２（Ｂ）に示すように、携帯端末８００を筐体１０１の当該開口部に嵌め込んで、携帯端末８００を使用する。
【００３２】
制御部１０４は、携帯端末カバー１００の各機能部を統括的に制御する。
【００３３】
ＮＦＣ制御部１０２は、ＮＦＣアンテナ１１０を用いて、ＮＦＣで他の機器との通信を実現するための機能部である。ＮＦＣアンテナ１１０は、図２（Ａ）に示すように、筐体１０１の背面となる枠に内蔵されている。
【００３４】
ＮＦＣアンテナ１１０の位置は、図２（Ｂ）に示すように、携帯端末８００が筐体１０１に嵌め込まれたときにＮＦＣアンテナ８１０に近接するように配置されている。その結果、ＮＦＣ制御部１０２は、携帯端末８００が筐体１０１に嵌め込まれると、ＮＦＣ制御部８０２と通信可能となる。
【００３５】
赤外線信号制御部１０３は、ＬＥＤ１１１を介して赤外線でリモコンコードを送出するための機能部である。ＬＥＤ１１１は、図２（Ａ）に示すように、筐体１０１の上面に備えられている。ＬＥＤ１１１は、発光すると筐体１０１の上面方向に赤外線を出力する。
【００３６】
赤外線信号制御部１０３へは、制御部１０４の制御のもとリモコンコードが入力される。赤外線信号制御部１０３は、入力されたリモコンコードに基づいてＬＥＤ１１１を点滅させ、リモコンコードを赤外線信号として送出する。
【００３７】
次に、図４は、実施形態１に係る携帯端末カバー１００により送受信されるリモコンコードの例を示す図である。図５（Ａ）及び図５（Ｂ）は、携帯端末８００の表示の例を示す図である。図５（Ｃ）は、携帯端末カバー１００から送信される赤外線の範囲、並びにＡＶアンプ７００及びテレビ６００が設置された空間を鉛直上方向から下向きに見た図である。
【００３８】
携帯端末８００は、サーバ９０２からリモコンコードを含む操作用データを複数取得する。操作用データは、図４に示すように、例えば、対象機器名、操作名称、及びリモコンコードが対応付けられたデータである。対象機器名は、ユーザの操作対象となる機器を示す。操作名称は、操作内容を示す。リモコンコードは、操作対象となる機器専用の赤外線リモートコントローラに記憶されているＬＥＤ発光（点灯、消灯）制御に対応するリモコンコードである。例えば、リモコンコード「ＦＣ００」及びリモコンコード「ＥＤ００」は、アンプＡの赤外線リモートコントローラに記憶されている。リモコンコード「３１３１」及びリモコンコード「３１３２」は、スピーカＢの赤外線リモートコントローラに記憶されている。リモコンコード「Ｂ８ＸＸ」及びリモコンコード「Ｃ５ＹＹ」の詳細は、後述する。
【００３９】
携帯端末８００は、サーバ９０２から操作用データを複数取得すると、ユーザに操作項目を選択させる表示を行う。具体的には、ＬＣＤ８１１は、図５（Ａ）に示すように、複数の操作用データに含まれる複数の対象機器名及び複数の操作名称からなるリスト５００を表示している。また、ＬＣＤ８１１は、表示切替ボタン５０１も表示している。表示制御部８０３は、表示切替ボタン５０１が押下されると、図５（Ａ）のリスト５００に現在表示されている操作項目以外の操作項目をＬＣＤ８１１に表示させて表示内容を変更する。
【００４０】
図５（Ａ）において、携帯端末８００は、ユーザから操作項目の選択を受け付けると、送信すべきリモコンコードを特定する。例えば、図５（Ａ）において、操作項目「アンプＡ：電源ＯＮ」が選択されると、制御部８０６は、図４に示す操作用データを対象機器名が「アンプＡ」、かつ操作名称が「電源ＯＮ」で参照して、リモコンコード「ＦＣ００」を特定する。
【００４１】
なお、図４において、リモコンコードに含まれる「ＸＸ」又は「ＹＹ」は、ユーザが指定する値である。例えば、携帯端末８００は、図５（Ａ）において、操作項目「ボリュームの入力」が選択されると、図５（Ｂ）に示すように、ボリューム値を入力させる画面を表示して、ユーザにボリューム値を入力させる。すると、リモコンコード「Ｂ８ＸＸ」のうち「ＸＸ」が入力されたボリューム値に基づいて設定される。
【００４２】
以上のように、携帯端末８００は、ＧＵＩを利用して、リモコンコードを特定する。
【００４３】
リモコンコードが特定されると、制御部８０６は、当該リモコンコードをＮＦＣアンテナ８１０から送信するように、ＮＦＣ制御部８０２を制御する。より具体的には、ＮＦＣ制御部８０２は、特定されたリモコンコードをそのまま、又は該リモコンコードを含めたパケットデータを作成し、当該リモコンコード、又は当該パケットデータに応じた高周波信号を生成する。そして、ＮＦＣ制御部８０２は、当該高周波信号をアンテナ８１０から送信する。
【００４４】
携帯端末カバー１００のＮＦＣアンテナ１１０は、アンテナ８１０から送信された高周波信号を受信する。ＮＦＣ制御部１０２は、受信した高周波信号をリモコンコードとして制御部１０４に入力する。または、ＮＦＣ制御部１０２は、アンテナ１１０が受信した高周波信号からパケットデータを抽出し、当該パケットデータに含まれるリモコンコードを抽出して制御部１０４に入力する。制御部１０４は、ＮＦＣ制御部１０２から入力されたリモコンコードを赤外線信号制御部１０３に出力する。
【００４５】
赤外線信号制御部１０３は、ＬＥＤ１１１を点灯・消灯制御して、入力されたリモコンコードに対応する赤外線信号を発光制御する。
【００４６】
ＡＶアンプ７００の受信部７０１は、赤外線信号しか受光できないが、赤外線信号制御部１０３によりリモコンコードに対応する赤外線信号が発光されるため、該赤外線信号を受光することでリモコンコードを受信できる。ＡＶアンプ７００は、受信したリモコンコードに応じた動作を行う。
【００４７】
以上のように、携帯端末８００のリモコンコマンド（操作項目）が選択操作されるだけで、ＮＦＣ通信を介し、リモコンコマンドに応じた赤外線信号が点灯・消灯制御され送出される。また、携帯端末８００は、赤外線信号を発光する構成を備えず、かつＡＶアンプ７００が無線ＬＡＮ等の赤外線信号以外の無線信号を受信できなくても、携帯端末８００は、携帯端末カバー１００を介してリモコンコードをＡＶアンプ７００に送信することができる。
【００４８】
また、ハードウェアのボタンを備える従来の赤外線リモートコントローラでは、ボタンの数は、多くのリモコンコードに対応するほど、多くなる。しかし、従来の赤外線リモートコントローラは、筐体の大きさに制限があるためにボタンが小さくなってしまう。しかし、携帯端末カバー１００と共に使用される携帯端末８００は、ＧＵＩを実現するため、ソフトウェアのボタンを大きく表示しつつ、表示を切り替えることにより、多くのボタンを表示することができる。また、従来の赤外線リモートコントローラのボタンは、固定されているものであったため、ユーザがボタン配置を変更できなかった。しかし、携帯端末８００は、ソフトウェアによる表示でユーザに操作項目を選択させるため、表示内容の変更が可能である。
【００４９】
また、携帯端末カバー１００は、図５（Ｃ）に示すように、ＮＦＣでリモコンコードを受信するので、離れた位置にある他の携帯端末８００Ａが無線ＬＡＮ等の無線通信でリモコンコードを送信したとしても、誤って受信することがない。
【００５０】
また、ＬＥＤ１１１は、構造上、無線通信に用いられる電波に比べて指向性が強い赤外線を出力する。図５（Ｃ）において、薄墨で示す範囲は、ＬＥＤ１１１から送出された赤外線信号の広がる範囲を示す。ＬＥＤ１１１から送出された赤外線信号は、図５（Ｃ）に示すように、携帯端末カバー１００を向けた方向にしか届かない。テレビ６００は、携帯端末カバー１００が向けられた方向に存在しないため、携帯端末カバー１００からの赤外線信号を受信して動作することがない。その結果、携帯端末カバー１００は、向いた方向に存在する機器のみが動作するので、ユーザが意図する機器のみ動作させることができる。
【００５１】
なお、サーバ９０２は、本発明に必須の構成ではなく、例えば、それぞれの携帯端末８００が操作用データを記憶する態様であっても構わない。また、操作用データは、複数記憶されるに限らず、１つ記憶されるだけであってもよい。
【００５２】
また、無線ＬＡＮ通信によって操作用データを取得するのではなく、Ｂｌｕｅｔｏｏｔｈ（登録商標）によって操作用データを取得する態様であってもかまわない。
【００５３】
次に、実施形態２に係るリモコン２００について図６（Ａ）、図６（Ｂ）及び図６（Ｃ）を用いて説明する。図６（Ａ）は、リモコン２００の正面の斜投影図である。図６（Ｂ）は、リモコン２００の背面の斜投影図である。図６（Ｃ）は、リモコン２００のブロック図の一部を示す図である。
【００５４】
リモコン２００は、複数のボタン１１２を筐体１０１に備え、プッシュスイッチ１１３が押下されていると、携帯端末カバー１００と同じ動作を行い、プッシュスイッチ１１３が押下されていないと、携帯端末８００からリモコンコードを受信しなくても、リモコンコードを送信するリモートコントローラとして動作する点において、携帯端末カバー１００と相違する。携帯端末カバー１００と重複する構成の説明は省略する。
【００５５】
リモコン２００は、図６（Ｃ）に示すように、ＮＦＣ制御部１０２、赤外線信号制御部１０３、制御部１０４、記憶部１０５、操作受付部１０６、及び状態検知部１０７を備える。
【００５６】
記憶部１０５は、複数のボタン１１２にそれぞれ対応した複数のリモコンコードを記憶している。
【００５７】
操作受付部１０６は、複数のボタン１１２の押下を受け付ける。複数のボタン１１２は、図６（Ｂ）に示すように、それぞれ筐体１０１の背面に配置される。
【００５８】
状態検知部１０７は、プッシュスイッチ１１３を介して筐体１０１への携帯端末８００の装着状態を検知する機能部である。プッシュスイッチ１１３は、図８（Ａ）に示すように、筐体１０１内部の筐体１０１の正面方向の面に配置されている。プッシュスイッチ１１３は、筐体１０１の背面方向に押し込まれる自動復帰型スイッチである。プッシュスイッチ１１３は、携帯端末８００が筐体１０１に嵌め込まれるとＯＮ（オン）となり、携帯端末８００が筐体１０１から外れるとＯＦＦ（オフ）となる。状態検知部１０７がプッシュスイッチ１１３のＯＮ状態又はＯＦＦ状態を検知することにより、制御部１０４は、筐体１０１に携帯端末８００が装着されているか否かを判断することができる。
【００５９】
制御部１０４は、筐体１０１に携帯端末８００が装着されていると判断すると、携帯端末カバー１００と同様に、携帯端末８００からＮＦＣで受信したリモコンコードを赤外線信号として赤外線信号制御部１０３に送信させる。この場合、制御部１０４は、操作受付部１０６がボタン１１２の押下を受け付けても何もしない。すなわち、リモコン２００は、筐体１０１に携帯端末８００が装着されていると、携帯端末８００からＮＦＣで送信されたリモコンコードを赤外線信号として送出する中継モードで動作する。
【００６０】
制御部１０４は、筐体１０１に携帯端末８００が装着されていないと判断すると、ＮＦＣでリモコンコードを受信しても何もしない。この場合、制御部１０４は、押下されたボタン１１２に対応付けられたリモコンコードを記憶部１０５から読み出して、当該リモコンコードを赤外線信号として赤外線信号制御部１０３に送出させる。すなわち、リモコン２００は、筐体１０１に携帯端末８００が装着されていないと、押下されたボタンに応じてリモコンコードを赤外線信号として送出する独立動作モードで動作する。
【００６１】
このように、リモコン２００は、携帯端末８００が筐体１０１に装着されたり、外されたりするだけで、動作モードが切り替わるため、ユーザは直感的にリモコン２００の動作が分かる。
【００６２】
また、リモコン２００は、携帯端末８００からＮＦＣでリモコンコードを受信するため、記憶部１０５に記憶されていないリモコンコードであっても、該リモコンコードに対応してＬＥＤ１１１を点灯・消灯制御することで赤外線信号を送出することができる。すなわち、リモコン２００は、ハードウェア上の変更をしなくても、赤外線信号として送出できるリモコンコードを変更することができる。
【００６３】
なお、状態検知部１０７は、携帯端末８００が筐体１０１に装着されているか否かをプッシュスイッチ１１３の状態で判断せず、至近距離でしか通信できないＮＦＣ規格を利用して判断してもよい。具体的には、状態検知部１０７は、ＮＦＣ制御部１０２がＮＦＣ制御部８０２とＮＦＣにより通信できるか否かによって判断してもよい。この場合、リモコン２００は、携帯端末８００とＮＦＣ通信できると、携帯端末８００が装着されていると判断して中継モードで動作し、携帯端末８００とＮＦＣ通信できないと、携帯端末８００が装着されていないと判断して独立動作モードで動作する。
【００６４】
なお、リモコン２００は、学習機能を備えてもよい。学習機能とは、受信したリモコンコードをボタン１１２に対応付けて記憶部１０５に記憶する機能である。以下、学習機能を備えるリモコン２００について説明する。
【００６５】
制御部１０４は、起動時には通常モードとして、携帯端末カバー１００と同様の動作を行うように各機能部を制御する。制御部１０４は、操作受付部１０６がユーザからモード切替指示を受け付けると、学習モードへと切り替える。モード切替指示は、例えばボタン１１２の長押しによって操作受付部１０６に与えられる。
【００６６】
学習モードでは、制御部１０４は、ＮＦＣ制御部１０２が受信したリモコンコードをボタン１１２に対応付けて記憶部１０５に記憶させる。リモコンコードとボタン１１２との対応付けは、例えば、ボタン１１２が押下されてから所定の時間内にリモコンコードが受信されると行われる。
【００６７】
通常モードの説明に戻り、制御部１０４は、ユーザが押下したボタン１１２に対応付けられたリモコンコードを記憶部１０５から読み出して赤外線信号制御部１０３に出力する。そして、赤外線信号制御部１０３は、リモコンコードを赤外線信号として送出する。
【００６８】
以上のように、学習機能を備えたリモコン２００は、携帯端末８００からＮＦＣで送信されたリモコンコードをボタン１１２に対応させて記憶することができる。
【００６９】
なお、学習機能を備えたリモコン２００は、携帯端末８００から受信したリモコンコードではなく、操作対象となる機器の赤外線リモートコントローラから送信されたリモコンコードを記憶してもよい。この場合、赤外線信号制御部１０３は、赤外線信号を受光する受光部をさらに備える。そして、受信部は、機器の赤外線リモートコントローラから送信されたリモコンコードを赤外線信号として受信する。
【００７０】
さらに、操作対象となる機器の赤外線リモートコントローラから送信されたリモコンコードは、携帯端末８００に記憶されてもよい。この場合、リモコン２００のＮＦＣ制御部１０２は、ＮＦＣでリモコンコードを携帯端末８００のＮＦＣ制御部８０２に送信する。そして、携帯端末８００は、ＬＣＤ８１１に表示されたボタンに対応付けてリモコンコードを自装置のメモリに記憶する。
【００７１】
次に、実施形態３に係るクレードル３００について、図７（Ａ）及び図７（Ｂ）を用いて説明する。図７（Ａ）は、クレードル３００の正面の斜投影図である。図７（Ｂ）は、クレードル３００の使用状態を説明するための右側面図である。
【００７２】
クレードル３００は、筐体の形状、ＮＦＣアンテナ１１０の位置、ＬＥＤ１１１の位置、及び２つの充電端子３０４を備える点において、携帯端末カバー１００と相違する。重複する構成の説明は省略する。
【００７３】
クレードル３００の筐体は、本体部３０１、及びスタンド３０２からなる。本体部３０１は、例えば直方体形状である。
【００７４】
ＮＦＣアンテナ１１０は、スタンド３０２に内蔵されている。ＬＥＤ１１１は、図７（Ｂ）に示すように、本体部３０１の背面に配置されている。
【００７５】
本体部３０１の上面には、スロット３０３が形成されている。スロット３０３は、直方体形状の窪みである。スロット３０３は、携帯端末８００の下面側が挿入される。スロット３０３は、携帯端末８００が挿入されたときに携帯端末８００の高さ方向が本体部３０１の上面の法線方向に対して傾斜するように形成されている。
【００７６】
携帯端末８００が傾斜してスロット３０３に挿入されると、スタンド３０２は、携帯端末８００が自立するように、携帯端末８００の背面を支える。すると、ＮＦＣ制御部１０２は、ＮＦＣアンテナ１１０がＮＦＣアンテナ８１０と近接するため、ＮＦＣ制御部８０２と通信可能となる。
【００７７】
２つの充電端子３０４は、スロット３０３の下面にそれぞれ配置されている。携帯端末８００がスロット３０３に挿入されると、携帯端末８００の下面に配置されている充電端子（不図示）と、２つの充電端子３０４とがそれぞれ電気的に接続される。２つの充電端子３０４には、携帯端末８００の充電用の電圧がそれぞれ印加されている。
【００７８】
このように、クレードル３００は、携帯端末８００を充電しながら、携帯端末８００からＮＦＣで受信したリモコンコードを赤外線信号として送出することができる。
【符号の説明】
【００７９】
１００…携帯端末カバー
１０１…筐体
１０２…ＮＦＣ制御部
１０３…赤外線信号制御部
１０４…制御部
１０５…記憶部
１０６…操作受付部
１０７…状態検知部
１１０…ＮＦＣアンテナ
１１１…ＬＥＤ
１１２…ボタン
１１３…プッシュスイッチ
２００…リモコン
３００…クレードル
３０１…本体部
３０２…スタンド
３０３…スロット
３０４…充電端子
６００…テレビ
７００…ＡＶアンプ
７０１…受信部
８００，８００Ａ…携帯端末
８０１…筐体
８０２…ＮＦＣ制御部
８０３…表示制御部
８０４…操作受付部
８０５…ＬＡＮ制御部
８０６…制御部
８１０…ＮＦＣアンテナ
８１１…ＬＣＤ
８１２…タッチパネル
９００…アクセスポイント
９０１…インターネット
９０２…サーバ
【図１】
2015005937.tif 000003
【図２】
2015005937.tif 000004
【図３】
2015005937.tif 000005
【図４】
2015005937.tif 000006
【図５】
2015005937.tif 000007
【図６】
2015005937.tif 000008
【図７】
2015005937.tif 000009